(57)【要約】【課題】色ムラ等により生じる縞が目立たないように、画像をより速く印刷することが可能な印刷装置を提供する。  【解決手段】搬送方向に搬送される媒体に、複数のノズルが前記搬送方向と交差する交差方向に移動しつつ当該ノズルからインクを吐出してドットを形成することにより画像を印刷する印刷装置であって、前記媒体としての透明媒体に所定画像の鏡像を前記画像として印刷するための第１印刷モードと、前記媒体に前記所定画像の正像を前記画像として印刷するための第２印刷モードとを有し、前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違する。【選択図】図１１
2010247519.tif 000002
【特許請求の範囲】
【請求項１】
搬送方向に搬送される媒体に、複数のノズルが前記搬送方向と交差する交差方向に移動しつつ当該ノズルからインクを吐出してドットを形成することにより画像を印刷する印刷装置であって、
前記媒体としての透明媒体に所定画像の鏡像を前記画像として印刷するための第１印刷モードと、前記媒体に前記所定画像の正像を前記画像として印刷するための第２印刷モードとを有し、
前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違することを特徴とする印刷装置。
【請求項２】
請求項１に記載の印刷装置であって、
前記第２印刷モードの前記ドット形成動作は、前記画像を構成し前記交差方向に前記ドットが配置される1本のドット列を形成するために前記ノズルを移動する回数が、前記第１印刷モードの前記ドット形成動作より多いことを特徴とする印刷装置。
【請求項３】
請求項１に記載の印刷装置であって、
前記画像を構成し前記交差方向に前記ドットが配置される複数の前記ドット列の前記搬送方向における間隔が、前記第１印刷モードの前記搬送動作より前記第２印刷モードの前記搬送動作の方が狭くなるように前記媒体を搬送することを特徴とする印刷装置。
【請求項４】
請求項１に記載の印刷装置であって、
前記第２印刷モードの前記ドット形成動作は、前記画像を構成し前記交差方向に前記ドットが配置されるドット列を前記ノズルの所定方向の移動時にインクを吐出して形成し、
前記第１印刷モードの前記ドット形成動作は、前記ドット列を前記ノズルの所定方向及び当該所定方向と反対方向の移動時にインクを吐出して形成することを特徴とする印刷装置。
【請求項５】
請求項１に記載の印刷装置であって、
前記第２印刷モードの前記ドット形成動作と、前記第１印刷モードの前記ドット形成動作は、前記画像を構成し前記交差方向に前記ドットが配置される１本のドット列をいずれも互いに異なる複数の前記ノズルからインクを吐出して形成し、
前記１本のドット列を形成するためにインクを吐出する前記ノズルの数は、前記第２印刷モードの方が前記第１印刷モードより多いことを特徴とする印刷装置。
【請求項６】
請求項５に記載の印刷装置であって、
前記第１印刷モードの前記ドット形成動作では、前記１本のドット列を形成するために単一の前記ノズルからインクを吐出することを特徴とする印刷装置。
【請求項７】
請求項１乃至請求項７のいずれか１項に記載の印刷装置であって、
前記第１印刷モードと前記第２印刷モードの少なくとも一方は、印刷した前記画像の背景となる背景画像を印刷することを特徴とする印刷装置。
【請求項８】
搬送方向に搬送される媒体に、複数のノズルが前記搬送方向と交差する交差方向に移動しつつ当該ノズルからインクを吐出してドットを形成することにより画像を印刷する印刷装置であって、
前記媒体としての透明媒体に当該透明媒体越しに見るための前記画像を印刷するための第１印刷モードと、直接見るための前記画像を印刷するための第２印刷モードとを有し、
前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違することを特徴とする印刷装置。
【請求項９】
搬送方向に搬送される媒体に、複数のノズルが前記搬送方向と交差する交差方向に移動しつつ当該ノズルからインクを吐出してドットを形成することにより画像を印刷する印刷装置であって、
前記媒体としての透明媒体に当該透明媒体越しに見るための前記画像を印刷するための第１印刷モードと、直接見るための前記画像を印刷するための第２印刷モードと、をユーザーに選択させる印刷装置制御部を備え、
前記印刷装置制御部は、前記各印刷モードを選択する印刷モード選択部をユーザーインターフェース画面に表示し、
前記第１印刷モードを選択すると、前記媒体を搬送する所定の搬送動作、及び、前記ノズルを移動しつつインクを吐出してドットを形成する所定のドット形成動作を規定する第１の印刷方式が、前記ユーザーインターフェース画面に表示され、
前記第２印刷モードを選択すると、前記搬送動作、及び、前記ドット形成動作のうちの少なくともいずれか一方が前記第１の印刷方式とは相違する第２の印刷方式が、前記ユーザーインターフェース画面に表示される
ことを特徴とする印刷装置。
【請求項１０】
請求項９に記載の印刷装置であって、
前記第１の印刷方式は、前記第２の印刷方式よりも画像を形成する速度を優先させた印刷方式であり、
前記第２の印刷方式は、前記第１の印刷方式よりも形成される画像の画質を優先させた印刷方式である
ことを特徴とする印刷装置。
【請求項１１】
請求項９または１０に記載の印刷装置であって、
前記ユーザーインターフェース画面に前記第１の印刷方式、または、前記第２の印刷方式が表示された後に、該ユーザーインターフェース画面上で前記印刷方式をユーザーが変更できることを特徴とする印刷装置。
【請求項１２】
搬送方向に搬送される媒体に、複数のノズルが前記搬送方向と交差する交差方向に移動しつつ当該ノズルからインクを吐出してドットを形成することにより画像を印刷する印刷装置であって、
前記媒体としての透明媒体に当該透明媒体越しに見るための前記画像を印刷するための第１印刷モードと、直接見るための前記画像を印刷するための第２印刷モードと、をユーザーに選択させる印刷装置制御部を備え、
前記印刷装置制御部は、前記各印刷モードを選択する印刷モード選択部と、前記媒体を搬送する搬送動作、及び、前記ノズルを移動しつつインクを吐出してドットを形成するドット形成動作を規定する各種印刷方式を選択する印刷方式選択部と、をユーザーインターフェース画面に表示し、
前記各種印刷方式に含まれる第１の印刷方式と第２の印刷方式とでは、前記搬送動作、及び、前記ドット形成動作のうちの少なくともいずれか一方が相違し、
第１印刷モード選択時における第１の印刷方式と、第２印刷モード選択時における第１の印刷方式とでは、前記搬送動作、及び、前記ドット形成動作のうちの少なくともいずれか一方が相違する
ことを特徴とする印刷装置。
【請求項１３】
請求項１２に記載の印刷装置であって、
前記印刷モードが同じ場合は、前記第１の印刷方式は、前記第２の印刷方式よりも画像を形成する速度を優先させた印刷ができ、前記第２の印刷方式は、前記第１の印刷方式よりも形成される画像の画質を優先させた印刷ができ、
前記印刷方式が同じ場合は、前記第１印刷モードは、前記第２印刷モードよりも画像を形成する速度を優先させた印刷ができ、前記第２の印刷方式は、前記第１の印刷方式よりも形成される画像の画質を優先させた印刷ができる
ことを特徴とする印刷装置。
【発明の詳細な説明】
【技術分野】
【０００１】
本発明は、印刷装置に関する。
【背景技術】
【０００２】
媒体に画像を印刷する印刷装置として、搬送方向に搬送される媒体に、複数のノズルが前記搬送方向と交差する交差方向に移動しつつ当該ノズルからインクを吐出してドットを形成することにより画像を印刷するインクジェットプリンターが知られている（例えば特許文献１参照）。インクジェットプリンターは、ノズルの交差方向における移動にて当該ノズルから吐出されたインクにより形成されるドットが交差方向に並ぶドット列を、媒体を搬送により搬送方向に複数並べて形成することにより画像を形成する。
【先行技術文献】
【特許文献】
【０００３】
【特許文献１】特開平１０−３２３９７８号公報
【発明の概要】
【発明が解決しようとする課題】
【０００４】
インクジェットプリンターは、各々のノズルのインクを吐出する特性の相違や、互いに異なるノズルの移動動作により形成されたドット列の相違により、形成された画像に色ムラ等による交差方向に沿う縞が生じる虞がある。このような縞は、画像を高速にて印刷する印刷モードにて発生しやすく、また、形成された画像の表面が粗い場合に、より顕著に表れるという課題がある。
【０００５】
そこで、本発明は、色ムラ等により生じる縞が目立たないように、かつ、より速く画像を印刷することが可能な印刷装置を提供することを目的とする。
【課題を解決するための手段】
【０００６】
上記目的を達成するための主たる発明は、
搬送方向に搬送される媒体に、複数のノズルが前記搬送方向と交差する交差方向に移動しつつ当該ノズルからインクを吐出してドットを形成することにより画像を印刷する印刷装置であって、
前記媒体としての透明媒体に所定画像の鏡像を前記画像として印刷するための第１印刷モードと、前記媒体に前記所定画像の正像を前記画像として印刷するための第２印刷モードとを有し、
前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違することを特徴とする印刷装置である。
【０００７】
本発明の他の特徴については、本明細書及び添付図面の記載により明らかにする。
【図面の簡単な説明】
【０００８】
【図１】印刷システム及びプリンターの構成を示すブロック図である。
【図２】プリンターのヘッド周辺の概略図である。
【図３】図２のＡ−Ａ断面図である。
【図４】ヘッドの構成の説明図である。
【図５】バンド印刷モードにおける搬送動作及びドット形成動作を説明するための図である。
【図６】疑似バンド印刷モードにおける搬送動作及びドット形成動作を説明するための図である。
【図７】インターレース印刷モードにおける搬送動作及びドット形成動作を説明するための図である。
【図８】オーバーラップ方式のバンド印刷モードにおける搬送動作及びドット形成動作を説明するための図である。
【図９】オーバーラップ方式の疑似バンド印刷モードにおける搬送動作及びドット形成動作を説明するための図である。
【図１０】オーバーラップ方式のインターレース印刷モードにおける搬送動作及びドット形成動作を説明するための図である。
【図１１】プリンターにて透明媒体に印刷する際の処理の一例を説明するための図である。
【図１２】表印刷モードとして実行されたオーバーラップ方式のインターレース印刷モードにおける搬送動作及びドット形成動作とドットが形成される様子を説明するための図である。
【図１３】裏印刷モードとして実行されたオーバーラップしないインターレース印刷モードにおける搬送動作及びドット形成動作とドットが形成される様子を説明するための図である。
【図１４】表印刷モードとして実行されたオーバーラップしないインターレース印刷モードにおける搬送動作及びドット形成動作とドットが形成される様子を説明するための図である。
【図１５】裏印刷モードとして実行されたオーバーラップしないバンド印刷モードにおける搬送動作及びドット形成動作とドットが形成される様子を説明するための図である。
【図１６】プリンターにて透明媒体に印刷する際の処理の変形例を説明するための図である。
【図１７】図１７Ａは表印刷モード選択時におけるユーザーインターフェース画面の概略を表した図である。図１７Ｂは裏印刷モード選択時におけるユーザーインターフェース画面の概略を表した図である。
【図１８】第４実施例で設定される印刷モードの一例を示す図である。
【図１９】図１９Ａは、裏印刷モード選択時において、ユーザーが印刷方式５に変更を行った場合のユーザーインターフェース画面の概略を表した図である。図１９Ｂは、図１９Ａの状態で裏印刷モードから表印刷モードに切り替えた場合のユーザーインターフェース画面の概略を表した図である。
【図２０】背景印刷の選択メニューを有するユーザーインターフェース画面の概略図である。
【図２１】第５実施例で設定される印刷モードの一例を示す図である。
【発明を実施するための形態】
【０００９】
＝＝＝開示の概要＝＝＝
本明細書及び添付図面の記載により、少なくとも、以下の事項が明らかとなる。
【００１０】
搬送方向に搬送される媒体に、複数のノズルが前記搬送方向と交差する交差方向に移動しつつ当該ノズルからインクを吐出してドットを形成することにより画像を印刷する印刷装置であって、前記媒体としての透明媒体に所定画像の鏡像を前記画像として印刷するための第１印刷モードと、前記媒体に前記所定画像の正像を前記画像として印刷するための第２印刷モードとを有し、前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違することを特徴とする印刷装置である。  
このような印刷装置によれば、透明媒体に鏡像を印刷するための第１印刷モードと、媒体に正像を印刷するための第２印刷モードとで、搬送動作、及び、ドット形成動作のうちの少なくともいずれか一方が互いに相違するので、透明媒体に鏡像を印刷する場合と、媒体に正像を印刷する場合とにて各々適した搬送動作、及び、ドット形成動作にて印刷することが可能である。このため、透明媒体に鏡像を印刷する場合、及び、媒体に正像を印刷する場合のいずれも、色ムラ等により生じる縞が目立ち画像をより速く印刷することが可能である。
【００１１】
ここで、第１印刷モードと第２印刷モードとで、搬送動作、及び、ドット形成動作のうちの少なくともいずれか一方が互いに相違するとは、同一の画像を第１印刷モードと第２印刷モードとにて印刷した際に、媒体の搬送量や搬送タイミングなどが相違する搬送動作が実行されたり、インクを吐出する際のノズルの移動方向やインクの吐出タイミングなどが相違するドット形成動作が実行されることを示している。このため、印刷する画像が相違するために、インクが吐出されてドットが形成される媒体上の位置が相違することは含まない。  
また、透明媒体には、完全に無色透明な媒体ばかりでなく、例えば、媒体を通して画像が見える程度の高い透光性を備えたフィルムなども含まれる。
【００１２】
かかる印刷装置であって、前記第２印刷モードの前記ドット形成動作は、前記画像を構成し前記交差方向に前記ドットが配置される1本のドット列を形成するために前記ノズルを移動する回数が、前記第１印刷モードの前記ドット形成動作より多いことが望ましい。  
紙などの媒体に印刷された画像を印刷面から見る場合には、乱反射するため縞状の濃度むらが目立ちやすいが、透明フィルムに印刷された画像を透明フィルム越しに見る場合には、表面がフィルム面となり表面の平滑度が高いため乱反射せず、縞状の濃度むら等が目立ち難いという特徴がある。このため、第２印刷モードのドット形成動作にて、交差方向に配置される１本のドット列を形成するためにノズルを移動する回数を、第１印刷モードのドット形成動作より多くすることにより、第２印刷モードの方が、濃度むらが目立ちにくい画像を印刷することが可能である。また、第１印刷モードにて印刷された画像は直接見た場合には濃度むらが目立ちやすいが、印刷された画像を透明媒体越しに正像として見る場合には濃度むらが目立ちにくい。このため、鏡像を印刷して透明媒体越しに見るための画像を印刷する場合には、1本のドット列を形成するためにノズルを移動する回数を少なくすることにより画像をより速く印刷することが可能である。
【００１３】
かかる印刷装置であって、前記画像を構成し前記交差方向に前記ドットが配置される複数の前記ドット列の前記搬送方向における間隔が、前記第１印刷モードの前記搬送動作より前記第２印刷モードの前記搬送動作の方が狭くなるように前記媒体を搬送することとしても良い。  
このような印刷装置によれば、正像が印刷される第２印刷モードにて印刷された画像はドット列の、搬送方向における間隔が狭く印刷されるので、より濃度むらが目立ちにくい画像を印刷することが可能である。
【００１４】
かかる印刷装置であって、前記第２印刷モードの前記ドット形成動作は、前記画像を構成し前記交差方向に前記ドットが配置されるドット列を前記ノズルの所定方向の移動時にインクを吐出して形成し、前記第１印刷モードの前記ドット形成動作は、前記ドット列を前記ノズルの所定方向及び当該所定方向と反対方向の移動時にインクを吐出して形成することとしても良い。  
このような印刷装置によれば、第２印刷モードにて印刷される画像は、ドット列を形成すべくインクを吐出する際のノズルの移動方向が同一なので、ドットが形成される位置精度が高く、より良好な画像を印刷することが可能であり、第１印刷モードにて印刷される画像は、ドット列を形成すべくインクを吐出する際のノズルの移動方向が交互になるので、印刷された画像を透明媒体越しに見ることにより濃度むらが目立ちにくくなる画像をより速く印刷することが可能である。
【００１５】
かかる印刷装置であって、前記第２印刷モードの前記ドット形成動作と、前記第１印刷モードの前記ドット形成動作は、前記画像を構成し前記交差方向に前記ドットが配置される１本のドット列をいずれも互いに異なる複数の前記ノズルからインクを吐出して形成し、前記１本のドット列を形成するためにインクを吐出する前記ノズルの数は、前記第２印刷モードの方が前記第１印刷モードより多いこととしても良い。  
このような印刷装置によれば、第２印刷モードのドット形成動作にて、交差方向にドットが配置されるドット列を形成するためにインクを吐出するノズルの数を、第１印刷モードのドット形成動作より多くすることにより、第２印刷モードの方が、濃度むらが目立ちにくい画像を形成することが可能である。また、第１印刷モードの画像は直接見た場合には濃度むらが目立ちやすいが、鏡像が印刷されているので透明媒体越しに画像を見ることにより濃度むらが目立ちにくくなる。このため、鏡像を印刷して透明媒体越しに見るための画像を印刷する場合には、１本のドット列を形成するノズルの数を少なくして画像をより速く印刷することが可能である。
【００１６】
かかる印刷装置であって、前記第１印刷モードの前記ドット形成動作では、前記１本のドット列を形成するために単一の前記ノズルからインクを吐出することが望ましい。  
このような印刷装置によれば、媒体越しに見ることにより濃度むらが目立ちにくくなる第１印刷モードにて印刷される画像を構成する１本のドット列を単一のノズルにて形成するので、より速く画像を印刷することが可能である。
【００１７】
かかる印刷装置であって、前記第１印刷モードと前記第２印刷モードの少なくとも一方は、印刷した前記画像の背景となる背景画像を印刷することが望ましい。  
このような印刷装置によれば、第１印刷モードと第２印刷モードの少なくとも一方の印刷モードにて印刷された場合には、背景画像上に画像が印刷されているので、透明媒体に印刷された画像であっても、画像及び背景画像が印刷された印刷領域の中に透明な領域が存在しない。このため、画像の領域において透明な部分から媒体の向こう側に存在する物が見えることはないので、より鮮明に見える画像を印刷することが可能である。
【００１８】
また、搬送方向に搬送される媒体に、複数のノズルが前記搬送方向と交差する交差方向に移動しつつ当該ノズルからインクを吐出してドットを形成することにより画像を印刷する印刷装置であって、前記媒体としての透明媒体に当該透明媒体越しに見るための前記画像を印刷するための第１印刷モードと、直接見るための前記画像を印刷するための第２印刷モードとを有し、前記第１印刷モードと前記第２印刷モードとは、前記媒体を搬送する搬送動作、及び、前記ノズルを移動しつつインクを吐出してドットを形成するドット形成動作のうちの少なくともいずれか一方が互いに相違することを特徴とする印刷装置である。
【００１９】
このような印刷装置によれば、透明媒体に当該透明媒体越しに見るための画像を印刷するための第１印刷モードと、直接見るための画像を印刷するための第２印刷モードとで、搬送動作、及び、ドット形成動作のうちの少なくともいずれか一方が互いに相違するので、透明媒体越しに見るための画像を印刷する場合と、直接見るための画像を印刷する場合とにて各々適した搬送動作、及び、ドット形成動作にて印刷することが可能である。このため、透明媒体に鏡像を印刷する場合、及び、媒体に正像を印刷する場合のいずれも、色ムラ等により生じる縞が目立たないように、より速く画像を印刷することが可能である。
【００２０】
ここで、第１印刷モードと第２印刷モードとで、搬送動作、及び、ドット形成動作のうちの少なくともいずれか一方が互いに相違するとは、同一の画像を第１印刷モードと第２印刷モードとにて印刷した際に、媒体の搬送量や搬送タイミングなどが相違する搬送動作が実行されたり、インクを吐出する際のノズルの移動方向やインクの吐出タイミングなどが相違するドット形成動作が実行されることを示している。このため、印刷する画像が相違するために、インクが吐出されてドットが形成される媒体上の位置が相違することは含まない。
【００２１】
また、直接見るための画像及び透明媒体越しに見るための画像は、印刷操作をしたユーザーの選択や、プリンターの設定などにより相違する。例えば、媒体越しに画像を見ることができない画像であり、例えば、選択された媒体が透明でない場合や透明媒体上に画像より先に背景画像が印刷される画像である。透明媒体越しに見るための画像は、媒体として透明媒体が選択されており、透明媒体上に印刷された画像の上に背景画像が印刷される画像である。
【００２２】
また、搬送方向に搬送される媒体に、複数のノズルが前記搬送方向と交差する交差方向に移動しつつ当該ノズルからインクを吐出してドットを形成することにより画像を印刷する印刷装置であって、前記媒体としての透明媒体に当該透明媒体越しに見るための前記画像を印刷するための第１印刷モードと、直接見るための前記画像を印刷するための第２印刷モードと、をユーザーに選択させる印刷装置制御部を備え、前記印刷装置制御部は、前記各印刷モードを選択する印刷モード選択部をユーザーインターフェース画面に表示し、前記第１印刷モードを選択すると、前記媒体を搬送する所定の搬送動作、及び、前記ノズルを移動しつつインクを吐出してドットを形成する所定のドット形成動作を規定する第１の印刷方式が、前記ユーザーインターフェース画面に表示され、前記第２印刷モードを選択すると、前記搬送動作、及び、前記ドット形成動作のうちの少なくともいずれか一方が前記第１の印刷方式とは相違する第２の印刷方式が、前記ユーザーインターフェース画面に表示されることを特徴とする印刷装置である。
【００２３】
このような印刷装置によれば、ユーザーはユーザーインターフェース画面上で表印刷モードと裏印刷モードとを選択するだけで、デフォルトとして設定された印刷方式に従った印刷を簡単にすることができる。
【００２４】
かかる印刷装置であって、前記第１の印刷方式は、前記第２の印刷方式よりも画像を形成する速度を優先させた印刷方式であり、前記第２の印刷方式は、前記第１の印刷方式よりも形成される画像の画質を優先させた印刷方式であることが望ましい。  
このような印刷装置によれば、印刷された画像を見る方向に応じて、画質の鮮明さと印刷速度の速さとを最適に組み合わせた印刷を行うことができる。
【００２５】
かかる印刷装置であって、前記ユーザーインターフェース画面に前記第１の印刷方式、または、前記第２の印刷方式が表示された後に、該ユーザーインターフェース画面上で前記印刷方式をユーザーが変更できることが望ましい。  
このような印刷装置によれば、印刷画像の画質や印刷速度をユーザーの好みに合わせて選択することができる。
【００２６】
また、搬送方向に搬送される媒体に、複数のノズルが前記搬送方向と交差する交差方向に移動しつつ当該ノズルからインクを吐出してドットを形成することにより画像を印刷する印刷装置であって、前記媒体としての透明媒体に当該透明媒体越しに見るための前記画像を印刷するための第１印刷モードと、直接見るための前記画像を印刷するための第２印刷モードと、をユーザーに選択させる印刷装置制御部を備え、前記印刷装置制御部は、前記各印刷モードを選択する印刷モード選択部と、前記媒体を搬送する搬送動作、及び、前記ノズルを移動しつつインクを吐出してドットを形成するドット形成動作を規定する各種印刷方式を選択する印刷方式選択部と、をユーザーインターフェース画面に表示し、前記各種印刷方式に含まれる第１の印刷方式と第２の印刷方式とでは、前記搬送動作、及び、前記ドット形成動作のうちの少なくともいずれか一方が相違し、第１印刷モード選択時における第１の印刷方式と、第２印刷モード選択時における第１の印刷方式とでは、前記搬送動作、及び、前記ドット形成動作のうちの少なくともいずれか一方が相違することを特徴とする印刷装置である。
【００２７】
このような印刷装置によれば、ユーザーはユーザーインターフェース画面上で表印刷モードと裏印刷モードとを選択し、さらに、所定の印刷方式を選択することで、印刷画像の画質や印刷速度をユーザーの好みに合わせて、簡単に印刷することができる。
【００２８】
かかる印刷装置であって、前記印刷モードが同じ場合は、前記第１の印刷方式は、前記第２の印刷方式よりも画像を形成する速度を優先させた印刷ができ、前記第２の印刷方式は、前記第１の印刷方式よりも形成される画像の画質を優先させた印刷ができ、前記印刷方式が同じ場合は、前記第１印刷モードは、前記第２印刷モードよりも画像を形成する速度を優先させた印刷ができ、前記第２の印刷方式は、前記第１の印刷方式よりも形成される画像の画質を優先させた印刷ができることが望ましい。  
このような印刷装置によれば、裏刷り印刷をするか表刷り印刷をするかによって、同じ印刷方式でもより適した画質と印刷速度で印刷を行うことができる。
【００２９】
以下の実施形態では、印刷装置としてインクジェットプリンター（以下、プリンターともいう）と、プリンターと通信可能に接続されたコンピューターとを有する印刷システムを例に挙げて説明する。
【００３０】
＝＝＝実施形態＝＝＝
以下、図１、図２、図３を参照しながら本実施形態の印刷システム１００及びプリンター１について説明する。図１は、印刷システム及びプリンターの構成を示すブロック図である。図２は、プリンターのヘッド周辺の概略図である。図３は、図２のＡ−Ａ断面図である。  
図１に示すように、印刷システム１００は、プリンター１と、当該プリンター１と通信可能に接続されたコンピューター８０とを有している。プリンター１と通信可能に接続されたコンピューター８０は、ユーザー等が操作するための操作部(不図示)を有し、ユーザー等により操作部から入力された情報に基づいて、印刷すべき画像のデータをプリンター1にて印刷可能な印刷データに変換するプリンタードライバーがインストールされている。プリンター１にて鏡像を印刷するための画像データもプリンタードライバーの処理により生成される。
【００３１】
＜プリンターの構成について＞
本実施形態のプリンター１は、紙、布、フィルムシート等の媒体に向けて、インクの一例として、紫外線（以下、ＵＶ）の照射によって硬化する紫外線硬化型インク（以下、ＵＶインク）を吐出することにより、媒体に画像を印刷することが可能なカラーインクジェットプリンターである。ここで、媒体には、透明なフィルムシート等の透明媒体も含まれる。
【００３２】
プリンター１は、透明媒体に印刷する際には、印刷された画像を透明媒体の印刷された側から直接見るための画像と、透明媒体越しに見るための画像とをいずれも印刷することが可能である。このとき、画像を直接見るための画像は、スキャナーで読み取った画像やデジタルカメラ等にて撮影された画像など、元となる所定画像の正像であり、透明媒体越しに見るための画像は、元となる所定画像の鏡像である場合が多いが、左右対称の画像や元画像に対し左右を反転した画像を敢えて印刷する場合にはこれに限らない。
【００３３】
また、ＵＶインクは、紫外線硬化樹脂を含むインクであり、ＵＶの照射を受けると紫外線硬化樹脂において光重合反応が起こることにより硬化する。なお、本実施形態のプリンター１は、ＣＭＹＫの４色と背景画像を印刷するため白色（W）とのＵＶインクを用いて印刷する。
【００３４】
プリンター１は、搬送ユニット１０、キャリッジユニット２０、ヘッドユニット３０、照射ユニット４０、検出器群５０、及びコントローラー６０を有する。外部装置であるコンピューター８０から印刷データを受信したプリンター１は、コントローラー６０によって各ユニット（搬送ユニット１０、キャリッジユニット２０、ヘッドユニット３０、照射ユニット４０）を制御する。コントローラー６０は、コンピューター８０から受信した印刷データに基づいて、各ユニットを制御し、媒体に画像を印刷する。プリンター１内の状況は検出器群５０によって監視されており、検出器群５０は、検出結果をコントローラー６０に出力する。コントローラー６０は、検出器群５０から出力された検出結果に基づいて、各ユニットを制御する。
【００３５】
搬送ユニット１０は、媒体を所定の方向（以下、搬送方向という）に搬送するためのものである。この搬送ユニット１０は、給紙ローラー１１と、搬送モータ（不図示）と、搬送ローラー１３と、プラテン１４と、排紙ローラー１５とを有する。給紙ローラー１１は、紙挿入口に挿入された媒体をプリンター１内に給紙するためのローラーである。搬送ローラー１３は、給紙ローラー１１によって給紙された媒体を印刷可能な領域（印刷可能領域）まで搬送するローラーであり、搬送モーターによって駆動される。プラテン１４は、印刷中の媒体を支持する。排紙ローラー１５は、媒体をプリンターの外部に排出するローラーであり、印刷可能な領域に対して搬送方向下流側に設けられている。
【００３６】
キャリッジユニット２０は、ヘッドを搬送方向と交差する交差方向(移動方向ともいう)に移動（「走査」とも呼ばれる）させるためのものである。キャリッジユニット２０は、キャリッジ２１と、キャリッジモーター（不図示）とを有する。また、キャリッジ２１は、ＵＶインクを収容するインクカートリッジを着脱可能に保持している。そして、キャリッジ２１は、後述する搬送方向と交差したガイド軸２４に支持された状態で、キャリッジモーターによりガイド軸２４に沿って往復移動する。
【００３７】
ヘッドユニット３０は、媒体にインク（本実施形態ではＵＶインク）を吐出するためのものである。ヘッドユニット３０は、複数のノズルを有するヘッド３１を備える。このヘッド３１はキャリッジ２１に設けられているため、キャリッジ２１が移動方向に移動すると、ヘッド３１も移動方向に移動する。そして、ヘッド３１が移動方向に移動中にＵＶインクを断続的に吐出することによって、移動方向に沿ったドット列としてのラスターラインが媒体に形成される。なお、以下、ヘッド３１の移動において、図２の一端側から他端側に向かって移動することを往動と呼び、他端側から一端側に移動することを復動と呼ぶ。  
なお、ヘッド３１の構成については、後述する。
【００３８】
照射ユニット４０は、媒体に着弾したＵＶインクに向けてＵＶを照射するものである。媒体上に形成されたドットは、照射ユニット４０からのＵＶの照射を受けることにより、硬化する。本実施形態の照射ユニット４０は、仮硬化用照射部４１ａ、４１ｂと本硬化用照射部４３とを備えている。なお、仮硬化用照射部４１ａ、４１ｂ及び本硬化用照射部４３の詳細については後述する。
【００３９】
検出器群５０には、リニア式エンコーダー（不図示）、ロータリー式エンコーダー（不図示）、紙検出センサー５３、および光学センサー５４等が含まれる。リニア式エンコーダーは、キャリッジ２１の移動方向の位置を検出する。ロータリー式エンコーダーは、搬送ローラー１３の回転量を検出する。紙検出センサー５３は、給紙中の媒体の先端の位置を検出する。光学センサー５４は、キャリッジ２１に取付けられている発光部と受光部により、媒体の有無を検出する。そして、光学センサー５４は、キャリッジ２１によって移動しながら媒体の端部の位置を検出し、媒体の幅を検出することができる。また、光学センサー５４は、状況に応じて、媒体の先端（搬送方向下流側の端部であり、上端ともいう）・後端（搬送方向上流側の端部であり、下端ともいう）や、媒体が透明か否かをも検出できる。
【００４０】
コントローラー６０は、プリンター１の制御を行うための制御ユニット（制御部）である。コントローラー６０は、インターフェース部６１と、ＣＰＵ６２と、メモリー６３と、ユニット制御回路６４とを有する。インターフェース部６１は、外部装置であるコンピューター８０とプリンター１との間でデータの送受信を行う。ＣＰＵ６２は、プリンター１全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリー６３に格納されているプログラムに従って、ユニット制御回路６４を介して各ユニットを制御する。
【００４１】
印刷を行うとき、コントローラー６０は、後述するように移動方向に移動中のヘッド３１からＵＶインクを吐出させるドット形成動作と、搬送方向に紙を搬送する搬送動作とを交互に繰り返し、複数のドットから構成される画像を紙に印刷する。なお、以下、ドット形成動作のことを「パス」と呼ぶ。また、ｎ回目のパスのことをパスｎと呼ぶ。
【００４２】
＜ヘッド３１の構成について＞
図４は、ヘッド３１の構成の一例の説明図である。ヘッド３１の下面には、図４に示すように、ブラックインクノズル列Ｋと、シアンインクノズル列Ｃと、マゼンダインクノズル列Ｍと、イエローインクノズル列Ｙと、2つのホワイトインクノズル列Ｗが設けられている。これらのノズル列は、図4に示すように、移動方向における両端にホワイトインクノズル列Wが配置されており、2つのホワイトインクノズル列Ｗの間に、一端側から他端側に向かって順に、ブラックインクノズル列K、シアンインクノズル列Ｃ、マゼンダインクノズル列Ｍ、イエローインクノズル列Ｙが配置されている。また、各ノズル列は、各色のＵＶインクを吐出するための吐出口であるノズルを複数個（本実施形態では１８０個）備えている。
【００４３】
各ノズル列の複数のノズルは、搬送方向に沿って一定の間隔（ノズルピッチ：ｋ・Ｄ）でそれぞれ整列している。ここで、Ｄは、搬送方向における最小のドットピッチ（つまり、媒体に形成されるドットの最高解像度での間隔）である。また、ｋは、１以上の整数である。例えば、ノズルピッチが１８０ｄｐｉ（１／１８０インチ）であって、搬送方向のドットピッチが７２０ｄｐｉ（１／７２０インチ）である場合、ｋ＝４である。
【００４４】
各ノズル列のノズルには、搬送方向下流側のノズルほど小さい番号が付されている。各ノズルには、各ノズルからＵＶインクを吐出させるための駆動素子としてピエゾ素子（不図示）が設けられている。このピエゾ素子を駆動信号によって駆動させることにより、前記各ノズルから滴状のＵＶインクが吐出される。吐出されたＵＶインクは、媒体に着弾してドットを形成する。
【００４５】
＜照射部の配置＞
仮硬化用照射部４１ａ、４１ｂは、交差方向に並べられたＣＭＹＫWの各ノズル列の両端に位置するホワイトインクノズル列Ｗより外側にそれぞれ隣接させて設けられており、６つのノズル列ＣＭＹＫWを挟むように配置されている。このため、キャリッジ２１が、一端側から他端側へ、または、他端側から一端側へのいずれの方向に移動しつつ吐出したインクであっても、ＵＶを照射することができるように構成されている。  
また、本硬化用照射部４３は、印刷対象となる媒体の幅よりも長く形成されており、搬送方向におけるヘッド３１より下流側に配置されている。
【００４６】
＜仮硬化及び本硬化について＞
本実施形態では、媒体に着弾したＵＶインクにＵＶを照射することで、ドットを硬化させている。本実施形態のプリンター１では、照射ユニット４０として、ＵＶインクの仮硬化用のＵＶ照射を行なう仮硬化用照射部４１ａ、４１ｂと、本硬化用のＵＶ照射行なう本硬化用照射部４３を備えており、２段階の硬化を行なっている。なお、仮硬化とは、媒体に着弾したＵＶインクの流動（ドットの広がり）を抑えるためや、あるいは、ドット間のインクの滲みを防止するためにドットの表面部分を硬化するものであり、本硬化とは、ＵＶインクを完全に硬化させるためのものである。従って、本硬化の方がＵＶの照射エネルギーが大きい（すなわち照射量が多い）。仮硬化用照射部４１ａ、４１ｂ及び本硬化用照射部４３は、それぞれ媒体に向けてＵＶを照射するための光源を備えている。
【００４７】
仮硬化用照射部４１ａ、４１ｂは、図２及び図４に示すように、それぞれキャリッジ２１に搭載されている。仮硬化用照射部４１ａ、４１ｂは、キャリッジ２１の移動に伴って、ヘッド３１と一体的に移動方向に移動する。換言すると、ヘッド３１の各色のノズル列が往復移動する際、仮硬化用照射部４１ａ、４１ｂは、各色のノズル列に対する相対位置を維持しながら往復移動する。この際に仮硬化用照射部４１ａ、４１ｂから、媒体に向けてＵＶが照射される。具体的には、往動の期間には仮硬化用照射部４１ａからＵＶが照射され、復動の期間には仮硬化用照射部４１ｂからＵＶが照射される。このように仮硬化は、ドットを形成するのと同じパスにおいて行なわれる。なお、仮硬化用照射部４１ａ、４１ｂの光源は、それぞれ仮硬化用照射部４１ａ、４１ｂ内に収容されることによりヘッド３１から隔離されている。これにより、光源から照射されるＵＶがヘッド３１の下面へ漏れるのを防ぎ、以って、当該下面に形成された各ノズルの開口付近でＵＶインクが硬化すること(ノズルの目詰まり)を防止している。
【００４８】
本硬化用照射部４３は、ヘッド３１よりも搬送方向下流側に設けられており、移動方向の長さが印刷対象となる媒体の幅よりも長くなっている。そして、本硬化用照射部４３は、移動することなく媒体に向けてＵＶを照射する。この構成により、パスによってドットの形成された媒体が、搬送動作によって本硬化用照射部４３の下まで搬送されると、本硬化用照射部４３によるＵＶの照射を受けるようになっている。
【００４９】
なお、本実施形態では、仮硬化用照射部４１ａ、４１ｂの光源として発光ダイオード（ＬＥＤ：Light Emitting Diode）を用いている。ＬＥＤは入力電流の大きさを制御することによって、照射エネルギーを容易に変更することが可能である。また、本硬化用照射部４３の光源として、ランプ（メタルハライドランプ、水銀ランプなど）を用いている。
【００５０】
＜プリンター１にて印刷可能な印刷モード＞
本実施形態のプリンター1は、ユーザー等の操作により、また、設定された印刷条件に基づいて、適宜変更可能な印刷モードを有している。印刷モードとしては、より短時間にて印刷したい場合に用いられる印刷モードや、より高画質の画像を印刷するための印刷モードなど複数種類の印刷モードを備えており、各印刷モードは媒体を搬送する搬送動作、及び、ノズルを移動しつつインクを吐出してドットを形成するドット形成動作のうちの少なくともいずれかが互いに相違している。
【００５１】
以下、プリンター１にて印刷可能な印刷モードの例について説明する。  
図５は、バンド印刷モードにおける搬送動作及びドット形成動作を説明するための図である。図６は、疑似バンド印刷モードにおける搬送動作及びドット形成動作を説明するための図である。図７は、インターレース印刷モードにおける搬送動作及びドット形成動作を説明するための図である。図８は、オーバーラップ方式のバンド印刷モードにおける搬送動作及びドット形成動作を説明するための図である。図９は、オーバーラップ方式の疑似バンド印刷モードにおける搬送動作及びドット形成動作を説明するための図である。図１０は、オーバーラップ方式のインターレース印刷モードにおける搬送動作及びドット形成動作を説明するための図である。
【００５２】
以下の説明においては、説明を簡単にするために、各ヘッド３１が有するノズルの数を少なく設定して説明する。また、図面上では、ノズルと媒体との相対位置を示しており、実際のプリンター１ではノズルは搬送方向には移動しない。ここでは、画像が形成される様子を分かり易くするために、印刷領域の全域に各色のドットを形成する例について説明するが、画像を印刷する際には、印刷データに基づいてインクが吐出されない場合もある。
【００５３】
以下、印刷モードを説明する図において、便宜的にノズルを四角形にて表し、内部に記載された数字は、説明する上でノズルを特定するための番号である。図の左側には画像を形成動作においてキャリッジ２１が移動するパスごとの媒体とノズルとの搬送方向における相対位置を示しており、図の右側には、左のような相対位置にて印刷動作が実行された際に形成される画像のイメージを示している。４色のインクを吐出するノズルは、各色の同一番号のノズルが同じ位置にドットを形成可能なので、ＣＭＹＫのノズルについては1色のノズル列について説明する。
【００５４】
左側の図において、ノズルの配列では、ＣＭＹＫのインクを吐出するノズルを濃色、白色を吐出するノズルを薄色にて着色し、各パスにおいてはインクを吐出したノズルに同様の着色をして示している。  
右側の図において、吐出されたインクにより形成されるドットを円形にて表し、内部に記載された番号は、ドットを形成するためのインクが吐出されたノズルを示している。
【００５５】
尚、媒体上に吐出されたインクは、キャリッジ２１の移動に伴って、吐出されたインクと対向する位置に到達した仮硬化用照射部４１ａ、４１ｂにてUVが照射されて仮硬化され、媒体の搬送に伴って本硬化用照射部４３と対向する位置に到達した媒体の部位からUVが照射されて本硬化されていくが、以下の説明では、UVの照射については説明を省略する。
【００５６】
１．バンド印刷モード
バンド印刷モードは、画質よりも印刷速度を優先する印刷モードであり、搬送方向に沿って並べられたノズルのピッチが、印刷された画像のドットピッチと一致する印刷モードである。  
バンド印刷モードとしては、例えば、図５に示すように、キャリッジ２１が1回移動する際、具体的には、移動方向における一端側から他端側に移動する往動時に、各ノズル列ＣＭＹＫが有する全てのノズル（＃１〜＃６）からインクを吐出させてラスターラインを形成したのち、媒体を搬送方向におけるノズル列の長さに相当する距離だけ搬送し、その後キャリッジ２１を他端側から一端側へ移動させつつ、各ノズル列ＣＭＹＫが有する全てのノズルからインクを吐出させてラスターラインを形成することを繰り返して画像を印刷する。  
バンド印刷モードは、キャリッジ２１の１回の移動により、搬送方向におけるノズル列の長さ分だけ印刷されるので印刷速度は速い。一方、移動方向に並ぶドットによって形成されるラスターラインは、いずれも単一のノズルにて形成される。また、搬送方向においては、単一のノズルにて形成されたラスターラインが周期的に現れるため、色ムラ等により生じる縞が目立ち易い。
【００５７】
２．疑似バンド印刷モード
疑似バンド印刷モードは、搬送方向に並べられたノズルのピッチに対し、印刷された画像のドットピッチの方が小さい印刷モードであり、単一のノズルにて形成されるラスターラインが、搬送方向に複数列並べて形成される印刷モードである。  
疑似バンド印刷モードは、図６に示すように、キャリッジ２１が1回移動する際、具体的には、移動方向における一端側から他端側に移動する往動時に、各ノズル列が有する全てのノズルからインクを吐出させたのち、媒体を搬送方向におけるノズルピッチの整数分の一に相当する距離だけ搬送し、その後キャリッジ２１を他端側から一端側へ移動(復動)させつつ、各ノズル列が有する全てのノズルからインクを吐出させて画像を印刷する。図6の例では、キャリッジの往動と複動との間にノズルピッチの１／４に相当する距離だけ媒体を搬送している。
【００５８】
その後、最初の往動にて形成されたラスターライン間が、その後形成されるラスターラインにて埋められるまで、ノズルピッチの整数分の一の微少送りを繰り返してラスターラインを印刷する。そして、最初の往動にて形成されたラスターライン間がその後形成されたラスターラインにて埋められた後に、媒体を次の印刷領域まで一挙に搬送し、その後、微少送りとドット形成動作を繰り返して画像を印刷する。  
疑似バンド印刷モードは、バンド印刷モードより搬送方向におけるドット間隔が狭いため、画像が滑らかになるが、移動方向に並ぶドットによって形成されるラスターラインは、バンド印刷モードと同様にいずれも単一のノズルにて形成される。また、搬送方向においても単一のノズルにて形成されたラスターラインが周期的に現れるため、色ムラ等により生じる縞は目立ち易い。
【００５９】
３．インターレース印刷モード
インターレース印刷モードは、ドットピッチに対するノズルピッチの割合を示す値ｋが２以上であって、１回のパスで記録されるラスターラインの間に記録されないラスターラインが挟まれるような印刷方法を意味する。インターレース印刷では、紙が搬送方向に一定の搬送量Ｆで搬送される毎に、各ノズルが、その直前のパスで記録されたラスターラインのすぐ上流側にラスターラインを記録する。このように搬送量を一定にして記録を行うためには、（１）インクを吐出可能なノズル数Ｎ（整数）は値ｋと互いに素の関係にあること、（２）搬送量ＦはＮ・Ｄに設定されること、が条件となる（Ｄ：ドットピッチ）。
【００６０】
インターレース印刷モードの一例としては、例えば図７に示すように、まず、キャリッジ２１の最初の移動にて、一端側から他端側に移動する往動時に、各ノズル列において搬送方向上流側に位置するいくつかのノズルからインクを吐出させてラスターラインを形成する。その後、媒体を搬送方向に所定量搬送させ、復動時に、最初に形成されたラスターラインに隣接させて、最初のラスターラインを形成したノズルとは異なるノズルにてラスターラインを形成する。次に、媒体を搬送方向に所定量搬送させて、２回目の往動時に、復動時に形成されたラスターラインと隣接させて、復動時に形成されたラスターラインを形成したノズルとは異なるノズルにてラスターラインを形成する。このような、媒体の所定量の搬送動作と、搬送方向に隣接するラスターラインを互いに異なるノズルにて形成するドット形成動作とを繰り返すことにより、先に形成されたラスターライン間が互いに異なるノズルにて形成されたラスターラインにて埋められて画像が形成される。
【００６１】
図7の例では、最初の往動時に最も上流側に設けられた第３ノズル＃３だけからインクを吐出させてラスターラインを形成した後、３ラスターラインに相当する距離だけ媒体を搬送し、キャリッジ２１を複動させつつ、往動時に形成したラスターラインの搬送方向下流側に隣接させて、第２ノズル＃２からインクを吐出させてラスターラインを形成している。このとき、第３ノズル＃３からもインクを吐出させてラスターラインを形成している。
【００６２】
次に、再び３ラスターラインに相当する距離だけ媒体を搬送し、復動時に形成したラスターラインの搬送方向下流側に隣接させて、第１ノズル＃１及び第２ノズル＃２からインクを吐出させてラスターラインを形成している。このとき、第３ノズル＃３からもインクを吐出させてラスターラインを形成している。
【００６３】
インターレース印刷モードは、搬送方向に隣接するラスターラインが互いに異なるノズルにて形成されるので、ノズルピッチのばらつきやノズルのインク吐出特性のばらつき等がバンド印刷モード及び疑似バンド印刷モードより目立ち難くなるが、移動方向に並ぶドットによって形成されるラスターラインは、バンド印刷モード及び疑似バンド印刷モードと同様にいずれも単一のノズルにて形成されているため、色ムラ等により生じる縞は比較的目立ち易い。
【００６４】
４．オーバーラップ方式のバンド印刷モード
オーバーラップ方式のバンド印刷モードは、バンド印刷モードにて単一のノズルにて形成されていたラスターラインを、図８に示すように、複数(ここでは２つ)のノズルにて形成する、所謂オーバーラップ方式の印刷モードである。  
オーバーラップ方式のバンド印刷モードは、ノズル列が有するノズルを搬送方向において半分に分けて使用する。  
たとえば、図8に示すように、まず、搬送された媒体の印刷領域に、ノズル列が有するノズルのうち搬送方向における上流側に位置するほぼ半数のノズルからインクを吐出させつつキャリッジ２１を移動さてラスターラインを形成する。図8の例では、ノズル列が6個のノズルを有しているので、上流側に位置する3つのノズル＃４、＃５、＃６からインクを吐出させてドットを形成する。このとき、移動方向においてはバンド印刷モードにて形成されたラスターラインのドット間隔より広く、たとえば、１個おきにドットを形成しておく。
【００６５】
次に、搬送方向におけるノズル列の長さの半分に相当する距離だけ媒体を搬送した後、すべてのノズルからインクを吐出させてラスターラインを形成する。また、このとき、各ノズルは、ラスターラインを形成するドットの半数を一個おきに形成する。このパスのドット形成動作により、上流側の半数のノズルでは新たなラスターラインを形成するラスターラインが移動方向に互いに間隔を隔てて形成され、下流側の半数のノズルでは直前のパスにて形成されたラスターラインの間にドットが形成されて、ラスターラインが完成される。
【００６６】
その後、搬送方向におけるノズル列の長さの半分に相当する距離だけ媒体を搬送した後、すべてのノズルからインクを吐出させて、移送方向にドット１個分のスペースを隔てたラスターラインを形成する動作を繰り返すことにより画像を印刷する。  
オーバーラップ方式のバンド印刷モードは、２つのノズルから吐出されたインクにてラスターラインが形成されるので、オーバーラップしないバンド印刷モードより色ムラ等による縞は目立ち難くなり画質は良くなるが、ノズル列を半分ずつ使用しているので印刷速度は低下する。
【００６７】
５．オーバーラップ方式の疑似バンド印刷モード
オーバーラップ方式の疑似バンド印刷モードは、オーバーラップしない疑似バンド印刷モードにて単一のノズルにて形成されていたラスターラインを、図９に示すように、複数(ここでは２つ)のノズルにて形成する、所謂オーバーラップ方式の印刷モードである。
【００６８】
オーバーラップ方式の疑似バンド印刷モードは、搬送方向に並べられたノズルピッチに対し、印刷された画像のドットピッチの方が小さい印刷モードであり、1本のラスターラインが複数のノズルから吐出されたインクにて形成され、搬送方向に複数列並べて形成される。  
オーバーラップ方式の疑似バンド印刷モードは、例えば図９に示すように、キャリッジ２１の1回目の移動にて、移動方向における一端側から他端側に移動する往動時に、各ノズル列が有する複数のノズル(ここでは３個)のうち上流側に位置するいくつかのノズル（＃２、＃３）からインクを吐出させる。このとき、移動方向においてはオーバーラップしない疑似バンド印刷モードにて形成されたラスターラインのドット間隔より広く、たとえば、１画素おきにドットを形成しておく。
【００６９】
次に、媒体を搬送方向におけるドットピッチ分に相当する距離だけ搬送し、その後キャリッジ２１を他端側から一端側へ移動(複動)させつつ、往動時にドットを形成したノズルと同じノズルにて、既に形成されたドットの搬送方向上流側に隣接させてインクを吐出させて画像を印刷する。その後、最初の往動にて形成されたラスターライン間が、その後形成されるラスターラインにて埋められるまで、ドットピッチ分の微少送りを繰り返して、移動方向に互いに１画素分間隔を隔てたドットにて構成されたラスターラインを印刷する。
【００７０】
そして、さらに、媒体をドットピッチ分に相当する距離だけ搬送すると、上流側に位置するノズルにて形成されたラスターラインと対向する位置に、ノズルが配置され、キャリッジの次の移動にて上流側に位置するノズルにて形成されたドットの間に、ドットを形成してラスターラインが完成される。図９の例では、最初の往動時に第２ノズル＃２及び第３ノズル＃３にて形成されたドットに対し、移動方向に隣接させて第１ノズル＃１及び第２ノズル＃２にてドットを形成してラスターラインを形成している。
【００７１】
その後も、ドットピッチ分の微少送りを繰り返しつつドット形成動作を続けると、第１ノズル＃１と第２ノズル＃２にて形成されたドットが交互に配置されたラスターラインと、第２ノズル＃２と第３ノズル＃３にて形成されたドットが交互に配置されたラスターラインとが完成され、その上流側に第３ノズルのみにて形成された未完成のラスターラインが形成されている。このため、未完成のラスターラインを第１ノズル＃１にて完成させるべく、媒体をノズルピッチとドットピッチを合わせた距離だけ搬送してドット形成動作を実行する。
【００７２】
６．オーバーラップ方式のインターレース印刷モード
オーバーラップ方式のインターレース印刷モードは、インターレース印刷モードにて単一のノズルにて形成されていたラスターラインを、図１０に示すように、複数(ここでは２つ)のノズルにて形成する、所謂オーバーラップ方式の印刷モードである。  
例えば図１０に示すように、まず、キャリッジ２１の最初の移動にて、一端側から他端側に移動する往動時に、媒体の印刷領域と対向する第３ノズルのみからインクを吐出させて、移動方向にドット間隔の広い未完成のラスターラインを形成する。その後、媒体を搬送方向にドットピッチ分だけ搬送させ、復動時に、第３ノズルのみからインクを吐出させて、最初に形成したドットと隣接させてドット間隔の広い未完成のラスターラインを形成する。
【００７３】
次に、媒体を搬送方向にドットピッチの２倍だけ搬送させ、往動時に、媒体の印刷領域と対向する第２ノズル及び第３ノズルからインクを吐出させて、ドット間隔の広い未完成のラスターラインを形成する。その後、媒体を搬送方向にドットピッチ分だけ搬送させると、第２ノズルが、最初に第３ノズルにて形成されたドット間隔の広い未完成のラスターラインと対向する位置に配置される。このため、２回目の復動時には、媒体の印刷領域と対向する第２ノズル及び第３ノズルからインクを吐出させるが、第２ノズルから吐出されたインクでは、最初に第３ノズルにて形成されたドット間にそれぞれ隣接するドットを形成しラスターラインが完成される。このような、媒体の搬送動作とドット形成動作とを繰り返すことにより、搬送方向に隣接して形成されるドット、及び移動方向に隣接して形成されるドットが、比較的互いに異なるノズルにて形成されるので、ノズルのインク吐出特性の相違等による縞状の濃度むらは目立ちにくくなる。一方、１回の搬送量は小さくなり、また、キャリッジの１回の移動にて完成されるラスターラインの数が少なくなるため、印刷速度は遅くなる。
【００７４】
＜透明媒体への印刷＞
プリンター１は、透明媒体としての透明フィルムに印刷する際には、印刷された画像を透明フィルム越しに見るための画像を印刷することが可能である。すなわち、媒体が透明なので、印刷した画像は、印刷面側からも、印刷面とは反対の透明フィルム側から透明フィルム越しに見ることも可能である。このため、媒体が透明フィルムの場合には、透明フィルム越しに見るための画像を印刷することができるように構成されている。
【００７５】
図１１は、プリンターにて透明媒体に印刷する際の処理の一例を説明するための図である。  
具体的には、図１１に示すように、プリンター１のユーザー等が、印刷媒体として透明フィルムを選択した場合（Ｓ１１、Ｓ１２）には、印刷する画像が、印刷面側から直接見るための画像か、透明フィルム越しに見るための画像かに基づいて（Ｓ１３）印刷モードが変更される（Ｓ１５、Ｓ１６）。
【００７６】
一般的にプリンターは、より高画質の画像をより速く印刷することが要求される。そして、紙などの媒体に印刷して、印刷面から印刷された画像を見る場合には、乱反射により、縞状の濃度むらが目立ちやすい。このため、高画質の画像を印刷する場合には、例えば印刷速度を落として、インターレース印刷モードや、オーバーラップ方式の印刷モードを、要求する画質に合わせて適宜選択している。また、テキストなどを印刷する場合には、縞状の濃度むら等の発生を許容して例えばバンド印刷モードにて印刷することにより印刷時間を短縮している。
【００７７】
ところが、透明フィルムに印刷された画像を透明フィルム越しに見る場合には、表面がフィルム面となり表面の平滑度が高いので乱反射せず、縞状の濃度むら等が目立ち難いという特徴がある。
【００７８】
このため、プリンター１では、透明フィルム越しに見るための画像を印刷する第１印刷モードとしての裏印刷モードと、直接見るための画像を印刷する第２印刷モードとしての表印刷モードとが設定されている。
【００７９】
例えば、直接見るための画像（直視画像）を印刷する表印刷モードとしてはインターレース印刷モードが設定され、透明フィルム越しに見るための画像（フィルム越し画像）を印刷するための裏印刷モードとしては、バンド印刷モードや、疑似バンド印刷モードに設定されている。
【００８０】
また、表印刷モードと裏印刷モードとは、いずれもバンド印刷モード、疑似バンド印刷モード、インターレース印刷モードのいずれかであって、表印刷モードとしてはオーバーラップ方式の印刷モードが設定されており、裏印刷モードとしてはオーバーラップしない印刷モードに設定されていても良い。  
また、表印刷モードと裏印刷モードとがいずれもオーバーラップ方式の印刷モードであり、表印刷モードの方が裏印刷モードより１ラスターラインのドットを形成するためにキャリッジ２１が移動する回数、または、１ラスターラインのドットを形成するノズルの数が多くなるように設定されていても良い。
【００８１】
＜第１実施例＞
具体的に透明フィルムに画像を印刷する場合には、まず、プリンター１と通信可能に接続されたコンピューター８０にユーザーにより、媒体として透明フィルムが指定され、印刷する画像が直接見るための画像または透明フィルム越しに見るための画像かが選択されて印刷を実行する操作がなされる。  
このとき、印刷する画像のデータが指定され、当該画像を直接見るための画像として印刷する旨の情報が入力されると、プリンタードライバーにて指定された画像の正像を印刷するための印刷データが生成され、印刷データに表印刷モードにて印刷する旨の印刷情報が付与されてプリンター１に送出される。
【００８２】
図１２は、表印刷モードとして実行されたオーバーラップ方式のインターレース印刷モードにおける搬送動作及びドット形成動作とドットが形成される様子を説明するための図である。図１２では、ＣＭＹＫ画像と背景画像とを分けて示しているが、実際には背景画像上にＣＭＹＫ画像が印刷される。
【００８３】
プリンター１は、印刷データと印刷情報とを受信し（Ｓ１１）、受信した印刷情報に基づいてコントローラーが、透明媒体への印刷か、媒体越しに見るための画像を印刷するか否かを判別する（Ｓ１２、Ｓ１３）。この場合には、透明フィルムに直接見るための画像を印刷することを判別し、直接見るための画像を印刷するための表印刷モードの印刷プログラムを実行する（Ｓ１５）。このとき例えば、表印刷モードとして、オーバーラップ方式のインターレース印刷モードが設定されていた場合には、図１２に示すような透明フィルムの搬送動作及びドット形成動作が実行されて画像が印刷される。図１２に示すオーバーラップ方式のインターレース印刷モードは、図１０を用いて前述したオーバーラップ方式のインターレース印刷モードと、白インクを用いた背景画像を印刷する点で相違する。すなわち、透明フィルムは媒体が透明であるが故に、ＣＭＹＫのインクが吐出されない部分は透明のまま残ってしまう。このため、透明な部分からはフィルムを通してフィルムの向こう側に存在する物が見えてしまい印刷した画像を鮮明に見ることが難しい。そこで、画像を白紙に印刷した状態と同様に見えるように、本実施形態の表印刷モードでは透明フィルムの表面に白色の背景画像を印刷した後にＣＭＹＫの各成分の像を印刷するように設定されている。
【００８４】
図１２の例では、キャリッジ２１の移動方向における先端側に位置するホワイトインクノズル列Ｗを用い、８パス目(往動４回、複動４回)までは、ホワイトインクノズル列Ｗの搬送方向における上流側のノズルにて背景画像を印刷し、９パス目から上流側のノズルで背景画像を印刷しつつ、下流側のノズルにて、既に印刷された背景画像上ＣＭＹＫの各成分の像を印刷する。
【００８５】
一方、ユーザーによってコンピューター８０から、印刷する画像のデータと、画像を透明フィルム越しに見るための画像として印刷する旨の情報が入力されると、プリンタードライバーにて指定された画像の鏡像を印刷するための印刷データが生成され、印刷データに裏印刷モードにて印刷する旨の印刷情報が付与されてプリンター１に送出される。
【００８６】
印刷データと印刷情報とを受信したプリンター１は、印刷情報に基づいてコントローラー６０が、鏡像を印刷するための印刷プログラムを実行する（Ｓ１６）。このとき例えば、裏印刷モードとして、オーバーラップしないインターレース印刷モードが設定されていた場合には、図１３に示すような透明フィルムの搬送動作及びドット形成動作が実行されて画像が印刷される。
【００８７】
図１３は、裏印刷モードとして実行されたオーバーラップしないインターレース印刷モードにおける搬送動作及びドット形成動作とドットが形成される様子を説明するための図である。図１３では、ＣＭＹＫ画像と背景画像とを分けて示しているが、実際には背景画像上にＣＭＹＫ画像が印刷される。  
図１３に示すオーバーラップしないインターレース印刷モードでは、図７を用いて前述したオーバーラップしないインターレース印刷モードと、白インクを用いた背景画像を印刷する点で相違する。
【００８８】
透明フィルム越しに見るための画像もＣＭＹＫのインクが吐出されない部分は透明のままなので、透明な部分からはフィルムを通してフィルムの向こう側に存在する物が見えてしまい印刷した画像を鮮明に見ることが難しい。このため、画像を白紙に印刷した状態と同様に見えるように、本実施形態の裏印刷モードでは透明フィルム上に形成されたＣＭＹＫの画像の上から印刷領域の全域に白色の背景画像を印刷するように設定されている。
【００８９】
図１３の例では、まず４パス目(往動２回、複動２回)までは、ＣＭＹＫの各色のインクノズル列の搬送方向における上流側のノズルにてＣＭＹＫの画像の各成分の像を印刷し、５パス目から上流側のノズルでＣＭＹＫの画像を印刷しつつ、キャリッジ２１の移動方向における後端側に位置するホワイトインクノズル列の下流側のノズルにて、印刷領域の全域に白色のインクを吐出して背景画像を印刷する。  
ここで、透明媒体越しに見るための画像として、例えばユーザー等が左右対称なデザイン画像などを印刷する情報を入力した場合には、ユーザー等が入力した情報に基づいて鏡像ではなく正像を印刷しても良い。
【００９０】
図１６は、プリンターにて透明媒体に印刷する際の処理の変形例を説明するための図である。  
また、上記実施例では、ユーザーにより媒体として透明媒体が選択され、透明媒体越しに見るための画像を印刷するか、直接見るための画像を印刷するかが入力される例について説明したが、図１６に示すようにユーザーにより鏡像を印刷する情報が入力された場合に、入力された情報に基づいて（Ｓ２３）、プリンター１にて裏印刷モードが実行されてもよい（Ｓ２６）。
【００９１】
＜第１実施例の変形例＞
第１実施例では、表印刷モードとしてオーバーラップ方式のインターレース印刷モードが設定されており、裏印刷モードとしてオーバーラップしないインターレース印刷モードが設定されている例について説明したが、表印刷モード及び裏印刷モードのいずれもオーバーラップ方式のインターレース印刷モードが設定されており、表印刷モードと裏印刷モードにて、１本のラスターラインを構成するドットを形成するインクを吐出するノズルの数が相違するように設定されていても良い。例えば、表印刷モードでは、４つのノズルから吐出したインクにて１本のラスターラインを形成し、裏印刷モードでは、図１２に示したように２つのノズルから吐出したインクにて１本のラスターラインを形成するように設定されていても良い。この場合にも、表印刷モードでは、ＣＭＹＫ画像より先に背景画像が印刷され、裏印刷モードでは、ＣＭＹＫ画像が印刷された後に背景画像が印刷される。
【００９２】
なお、1本のラスターラインを形成するためのノズル移動回数が3回以上のモードがあってもよい。その場合、例えば、1本のラスターラインを形成するためのノズル移動回数が3回のモードは、1本のラスターラインを形成するためのノズル移動回数が2回のモードよりも、1本のラスターラインを形成するためのノズル移動回数が多いモードである。
【００９３】
また、ヘッドが備えるノズル数よりも、実際に印刷に使用されるノズルが少なくなってもよい。例えば、本実施例において、ヘッド部のノズルピッチが３６０ｄpｉであるとした場合に、交差方向の解像度を１８０ｄpｉで印刷を行うと、同じ駆動周波数であれば、全ノズル数の半数のノズルのみを使用しても印刷が可能である。また、交差方向のドット間隔が２倍となるため、同じ駆動周波数で全ノズルを使用するのであれば、キャリッジの移動速度を２倍にすることも可能である。
【００９４】
＜第２実施例＞
第２実施例は、表印刷モード、裏印刷モードともにオーバーラップしない印刷モードが設定されている例である。  
第２実施例としては、例えば表印刷モードとしてオーバーラップしないインターレース印刷モードが設定されており、裏印刷モードとしてオーバーラップしないバンド印刷モードが設定されている。
【００９５】
ユーザーによりコンピューター８０から、媒体として透明フィルムが指定され、印刷する画像として直接見るための画像が選択されて印刷を実行する操作がなされると、プリンタードライバーにて、指定された画像の正像を印刷するための印刷データが生成され、印刷データに表印刷モードにて印刷する旨の印刷情報が付与されてプリンター１に送出される。  
印刷データと印刷情報とを受信したプリンター１は、印刷情報に基づいてコントローラーが、正像をオーバーラップしないインターレース印刷モードにて印刷するための印刷プログラムを実行する（Ｓ１５）。
【００９６】
図１４は、表印刷モードとして実行されたオーバーラップしないインターレース印刷モードにおける搬送動作及びドット形成動作とドットが形成される様子を説明するための図である。図１４では、ＣＭＹＫ画像と背景画像とを分けて示しているが、実際には背景画像上にＣＭＹＫ画像が印刷される。  
プリンター１では、図１４に示すような透明フィルムの搬送動作及びドット形成動作が実行されて画像が印刷される。図１４に示すオーバーラップしないインターレース印刷モードでは、図１３を用いて前述したオーバーラップしないインターレース印刷モードと、白インクを用いた背景画像を、ＣＭＹＫ画像を印刷する前に印刷する点で相違する。
【００９７】
図１４の例では、透明フィルムに印刷した画像を白紙に印刷した状態と同様に見えるように、４パス目(往動２回、複動２回)までは、キャリッジ２１の移動方向における先端側に位置するホワイトインクノズル列Ｗの上流側のノズルを用い白色のインクを吐出して背景画像を印刷する。そして、５パス目からホワイトインクノズル列Ｗの上流側のノズルから吐出したインクにて背景画像を印刷し、ＣＭＹＫの各色のインクノズル列の搬送方向における下流側のノズルにてＣＭＹＫ画像の各成分の像を既に印刷されている背景画像上に印刷する。
【００９８】
一方、ユーザーによってコンピューター８０から、印刷する画像のデータと、画像を透明フィルム越しに見るための画像として印刷する旨の情報が入力されると、プリンタードライバーにて指定された画像の鏡像を印刷するための印刷データが生成され、印刷データに裏印刷モードにて印刷する旨の印刷情報が付与されてプリンター１に送出される。  
印刷データと印刷情報とを受信したプリンター１は、印刷情報に基づいてコントローラーが、オーバーラップしないバンド印刷モードの印刷プログラムを実行する（Ｓ１６）。
【００９９】
図１５は、裏印刷モードとして実行されたオーバーラップしないバンド印刷モードにおける搬送動作及びドット形成動作とドットが形成される様子を説明するための図である。  
プリンター１では、図１５に示すような透明フィルムの搬送動作及びドット形成動作が実行されて画像が印刷される。図１５に示すオーバーラップしないバンド印刷モードでは、図５を用いて前述したオーバーラップしないバンド印刷モードと、白インクを用いた背景画像を、ＣＭＹＫ画像を印刷する前に印刷する点で相違する。
【０１００】
図１５の例では、透明フィルムに印刷した画像を白紙に印刷した状態と同様に見えるように、１パス目は、ＣＭＹＫの各色のインクノズル列の搬送方向における上流側のノズルにてＣＭＹＫ画像の各成分の像を印刷し、２パス目以降は、ＣＭＹＫの各色のインクノズル列の搬送方向における上流側のノズルにてＣＭＹＫ画像の各成分の像を印刷し、キャリッジ２１の移動方向における後端側に位置するホワイトインクノズル列Ｗの下流側のノズルを用い白色のインクを吐出して背景画像を印刷領域の全域に印刷する。
【０１０１】
＜第３実施例＞
第３実施例は、表印刷モード、裏印刷モードともにオーバーラップしない印刷モードが設定されており、表印刷モードでは、インクを吐出する際のキャリッジの移動方向が同一方向（所定方向）であり、裏印刷モードでは、キャリッジが所定方向に移動する際と、所定方向と反対の方向に移動する際とのいずれもインクを吐出するように設定されている。すなわち、表印刷モードは、Ｕｎｉ−ｄ印刷モードが設定されており、裏印刷モードはＢｉ−ｄ印刷モードが設定されている。
【０１０２】
第３実施例では、ユーザーによりコンピューター８０から、媒体として透明フィルムが指定され、印刷する画像として直接見るための画像が選択されて印刷を実行する操作がなされると、プリンタードライバーにて、指定された画像の正像を印刷するための印刷データが生成され、印刷データに表印刷モードにて印刷する旨の印刷情報が付与されてプリンター１に送出される。
【０１０３】
直接見るための画像を印刷するための印刷データと印刷情報とを受信したプリンター１は、印刷情報に基づいてコントローラー６０が、正像をオーバーラップしないインターレース印刷モードであってＵｎｉ−ｄ印刷モードにて印刷するための印刷プログラムを実行する（Ｓ１５）。第３実施例に表印刷モードにて形成される画像及び使用するノズルは、第２実施例の表印刷モードを示した図１４と同様であるが、透明フィルムの搬送動作とドット形成動作におけるキャリッジ２１の移動動作とが相違する。具体的には、第２実施例の表印刷モードでは、キャリッジの往動及び複動の度に媒体を搬送する搬送動作を行っていたが、第３実施例の表印刷モードでは、キャリッジの往動及び複動した後に、すなわちキャリッジ２１が往復した後に媒体を搬送する搬送動作を行うように設定されている。
【０１０４】
また、媒体越しに見るための画像を印刷するための印刷データと印刷情報とを受信したプリンター１は、印刷情報に基づいてコントローラーが、鏡像をオーバーラップしないインターレース印刷モードであってＢｉ−ｄ印刷モードにて印刷するための印刷プログラムを実行する（Ｓ１６）。第３実施例に裏印刷モードにおける透明フィルムの搬送動作とドット形成動作は第１実施例の裏印刷モードとして示した図１３と同様である。
【０１０５】
＜第４実施例＞
第４実施例は、表印刷モード、裏印刷モードの切り替えをプリンタードライバーによってユーザー自身が選択できる構成のプリンターである。図１７Ａ及び図１７Ｂに、ユーザーが実際に各モードの設定を行う際に使用するユーザーインターフェース（以後ＵＩとも呼ぶ）画面の概略図を示す。本実施形態におけるＵＩ画面はコンピューター８０の表示機等に表示され、媒体の種類、印刷モード、印刷方式等について設定できるようになっている。媒体の種類は「普通紙」や「写真用紙」等と並んで「透明フィルム」を選択できる。そして、印刷モードとして「表印刷モード」または「裏印刷モード」を選択できる。ユーザーは当該ＵＩ画面上で、マウス等の指示器を用いて各種の選択を行う。
【０１０６】
プリンタードライバーには、前述のバンド印刷／インターレース印刷、Ｕｎｉ−ｄ印刷／Ｂｉ−ｄ印刷等、印刷の美しさと速さとを勘案して媒体の搬送動作、及び、ドット形成動作を適当に組み合わせた印刷方式が複数種類記憶されている。表印刷／裏印刷の各モードについては、最適な印刷方式がそれぞれデフォルトで設定されており、ユーザーがＵＩ画面上で表印刷モード、または、裏印刷モードの選択を行うと、該選択に合わせて印刷方式が切り替わり、ＵＩ画面上に表示される。例えば、図１７Ａは表印刷モードを選択した場合のＵＩ画面の様子を表し、図１７Ｂは裏印刷モードを選択した場合のＵＩ画面の様子を表す。本実施形態では、ユーザーが表印刷モードを選択すると印刷方式１がデフォルトとして設定され（図１７Ａ）、ユーザーが裏印刷モードを選択すると印刷方式２が設定される（図１７Ｂ）。なお、図１７Ａ及び図１７Ｂでは印刷方式として１〜５の５種類が表示されているが、該印刷方式の数は５に限られるものではなく、もっと少なくてもよいし、多くてもよい。
【０１０７】
図１８に、第４実施例においてプリンタードライバーに設定される印刷方式の一例を示す。なお、ヘッドのノズルピッチを３６０ｄpｉとした場合について考えるものとする。印刷方式として設定される項目には、印刷解像度、紙送りの方式（バンド／擬似バンド／インターレース）、オーバーラップ印刷を行うか否かの選択、印刷方向（Ｕｎｉ−ｄ印刷／Ｂｉ−ｄ印刷）等があり、これらを組み合わせることで、形成される画像の美しさと印刷速度とが定められる。図１８では印刷方式１〜５が設定されており、例えば印刷方式１は最も印刷画質を重視したモードであり、鮮明な画像を印刷することができる。印刷方式の数字が大きくなるに従って印刷画質よりも印刷速度が重視され、印刷方式５は最も印刷速度を重視したモードとなっており、速く画像を印刷することができる。
【０１０８】
前述の通り、ユーザーが表印刷モードを選択した場合は、印刷方式1がデフォルトで設定される。図１８に示されるように、印刷方式１では、解像度が１４４０×７２０ｄpｉ、紙送りの方式がインターレース方式、オーバーラップ印刷を行い、印刷方向がＵｎｉ−ｄとなっており、なるべく鮮明な画像を印刷できるような印刷方式となっている。表印刷モードでは印刷面を直接表面から見ることになるため、印刷画像の表面にムラ等が生じにくいよう、印刷画質を重視した設定としている。
【０１０９】
一方、ユーザーが裏印刷モードを選択した場合は、印刷方式２がデフォルトで設定される。印刷方式２は、図１８に示されるように解像度が７２０×７２０ｄpｉであり、印刷方式１よりも解像度が低く設定され、また、印刷方向をＢｉ−ｄとすることで、印刷方式１の場合よりも印刷の速さを重視した設定となっている。裏印刷モードでは、形成された画像を透明媒体の裏側から見ることを前提としているため、表印刷モードほど印刷画像の表面状態（画質）を気にする必要は無く、その分、印刷速度を早くした設定としている。
【０１１０】
なお、デフォルトとして前述の印刷方式が設定されているが、該印刷方式はＵＩ画面上でユーザー自身が変更することも可能である。例えば、表印刷モードを選択した場合には、デフォルトでは図１８の印刷方式１が設定されるが（図１７Ａ参照）、これを印刷方式５（最も印刷速度を重視したモード）に変更することも可能であるし、裏印刷モードを選択した場合に、デフォルトで設定された印刷方式２（図１７Ｂ参照）を、印刷方式１（最も印刷画質を重視したモード）に変更することも可能である。
【０１１１】
また、デフォルトで設定されている印刷方式をユーザーが変更した場合に、その変更がプリンタードライバーに記憶されるようにすることもできる。そして、印刷方式の変更後に表／裏の印刷モードが変更された場合には、当該変更が反映される。すなわち、表／裏の印刷モードが変更された場合、表印刷モードにおける印刷方式は、直近の裏印刷モードにおける印刷方式よりも１段階きれいな方式（１段階小さな数字）に設定される。例えば、図１９Ａに示されるように、裏印刷モード選択時において、ユーザーがデフォルトの印刷方式２から印刷方式５に変更を行った場合、プリンタードライバーは該変更された印刷方式を記憶する。そして、この状態でユーザーが裏印刷モードから表印刷モードに切り替えると、図１９Ｂのように印刷方式５よりも１段階きれいな印刷方式４が設定される。表印刷モードのデフォルト値は印刷方式１であったが、ユーザーによる直近の設定（印刷方式５）を基準とすることで、よりユーザー好みの印刷をすることができるようになる。逆に、表印刷モードから裏印刷モードへと変更された場合には、印刷方式が１段階速い方式（１段階大きな数字）に設定される。
【０１１２】
なお、このように設定された印刷方式をさらに変更したい場合には、ユーザーはＵＩ画面上で変更することが可能である。
【０１１３】
＜第４実施例の変形例＞
図２０に第４実施例の変形例で使用されるＵＩ画面の概略を示す。図２０に示されるＵＩ画面では、背景画像を選択するメニューが表示され、印刷時に背景画像を形成するか否かをユーザー自身が設定できるようになっている。  
前述のように、背景画像を形成することによって、透明フィルム媒体に画像を印刷しても、白紙に印刷した状態と同様に該画像を見ることができる。
【０１１４】
一方、ＵＩ画面の操作により、透明フィルム媒体に印刷を行う場合でも背景画像を形成しないようにすることもできる。背景画像を形成しなければ、それだけ使用できるカラーノズルが多くなるため、印刷を早くすることができる。例えば、図１２のような印刷を行う場合、パス１〜８までは背景画像となる白インクを吐出していたが、背景画像が不要であれば、パス１〜８までもカラーノズルを用いてカラーインクの吐出を行うことができるようになるため、それだけ印刷終了までに要する時間を短縮することが可能になる。逆に、普通紙に印刷を行う場合に背景色を形成することも可能である。
【０１１５】
なお、背景画像は基本的には白で形成されるが、必要に応じて黒やグレー等の他の色にも変更できるよう、ＵＩ画面上に背景色の設定項目を設けてもよい。本実施例では、ユーザーが媒体として透明フィルムを選択した場合は、デフォルトで背景画像が白で形成されるように設定され、ユーザーが普通紙等を選択した場合には、デフォルトで背景画像が形成されないように設定される。
【０１１６】
＜第５実施例＞
第５実施例では、第４実施例と同様に図１７Ａで表されるようなＵＩ画面を利用して、表印刷モード／裏印刷モードの切り替えをユーザー自身が行うことができる。一方、第４実施例の場合と異なり、印刷方式の選択も最初からユーザー自身で行うようになっている。そして、表印刷モード選択時と裏印刷モード選択時とでは、同じ印刷方式でも解像度や印刷方向等が異なる設定となっている。
【０１１７】
図２１に、第５実施例でプリンタードライバーに設定される各印刷方式の一例を示す。表印刷モード・裏印刷モードのそれぞれについて５種類の印刷方式が設定されており、その全てがそれぞれ異なる印刷方式となっている。第４実施例の場合と同様、印刷方式１が最も印刷画質を重視したモードであり、印刷方式の数字が大きくなるほど印刷速度を重視した設定となっている。そして、表印刷モードと裏印刷モードとで印刷方式の番号が同じ場合には、表印刷モードの方が印刷画質を重視した設定となっており、裏印刷モードでは印刷速度を重視した設定となっている。前述のとおり、表印刷と裏印刷では印刷面を見る方向が異なり、光の反射等の影響で画像の見え方が変わってくるからである。
【０１１８】
例えば、印刷方式１では、表印刷モードの印刷方向はＵｎｉ−ｄであり、裏印刷モードの印刷方向はＢｉ−ｄである。そして印刷方向以外の各種設定は表印刷モード・裏印刷モードとも同じである。これは、前述の第３実施例で説明した場合と同様の設定であり、表印刷モードにおいては、インクを吐出する際のキャリッジの移動方向を一定とすることで裏印刷モードよりも鮮明な画像を印刷できるようにしている。
【０１１９】
印刷方式２では、表印刷モードではオーバーラップ印刷を行うが、裏印刷モードではオーバーラップ印刷を行わない。オーバーラップ印刷以外の各種設定は表印刷モード・裏印刷モードとも同じである。これは、前述の第１実施例で説明した場合と同様の設定であり、表印刷モードにおいては、オーバーラップ印刷とすることでノズルのインク吐出特性差等による濃度むらを抑え、裏印刷モードよりも鮮明な画像を印刷できるようにしている。
【０１２０】
印刷方式３では、印刷方式１と同様、表印刷モードがＵｎｉ−ｄ印刷で裏印刷モードがＢｉ−ｄ印刷であり、表印刷モードの方が鮮明な画像を印刷できるようにしている。ただし、解像度や紙送り方式については、それぞれ印刷方式１よりも低く設定し、印刷方式１と比較して、全体的に印刷速度を重視した設定となっている。
【０１２１】
印刷方式４および５ではいずれも、表印刷モードの解像度を表印刷モードの解像度より高くすることで、裏印刷モードの方が裏印刷モードよりも鮮明な画像を印刷できるようにしている。
【０１２２】
ユーザーはＵＩ画面上で表印刷モードまたは裏印刷モードの選択を行い、次に印刷方式（第５実施例においては印刷方式１〜５）の選択を行う。プリンタードライバーは図２１に示されるマトリックスに従って、表印刷モードまたは裏印刷モードのいずれかに対応する印刷方式を決定し、該印刷方式に従って印刷が行われる。
【０１２３】
＜まとめ＞
上記実施形態の印刷システム１００によれば、透明フィルムに当該透明フィルム越しに見るための画像を印刷するための印刷モード及び透明媒体に鏡像を印刷するための印刷モードである裏印刷モードと、直接見るための画像を印刷するための印刷モード及び媒体に正像を印刷するための印刷モードである表印刷モードとで、搬送動作、及び、ドット形成動作のうちの少なくともいずれか一方が互いに相違するので、透明フィルム越しに見るための画像または透明フィルムに鏡像を印刷する場合と、直接見るための画像または透明フィルムに正像を印刷する場合とにて各々適した搬送動作、及び、ドット形成動作にて印刷することが可能である。このため、透明フィルム越しに見るための画像または透明フィルムに鏡像を印刷する場合、及び、直接見るための画像または透明フィルムに正像を印刷する場合のいずれも、色ムラ等により生じる縞が目立ち難い画像をより速く印刷することが可能である。
【０１２４】
特に、紙などの媒体に印刷して、印刷面から印刷された画像を見る場合には、乱反射により、縞状の濃度むらが目立ちやすいが、透明フィルムに印刷された画像を透明フィルム越しに見る場合には、表面がフィルム面となり表面の平滑度が高いため乱反射せず、縞状の濃度むら等が目立ち難いという特徴がある。このため、第１実施例のように、表印刷モードのドット形成動作にて、交差方向に配置される１本のラスターラインを形成するためにノズルを移動する回数を、裏印刷モードのドット形成動作より多くすることにより、表印刷モードの方が、濃度むらが目立ちにくい画像を形成することが可能である。
【０１２５】
また、裏印刷モードにて印刷された画像を直接見た場合には濃度むらが目立ちやすいが、印刷された画像を透明フィルム越しに正像として見る場合には濃度むらが目立ちにくい。このため、鏡像を印刷して透明フィルム越しに見るための画像を印刷する場合には、1本のラスターラインを形成するためにノズルを移動する回数を少なくすることにより画像をより速く印刷することが可能である。
【０１２６】
特に、第１〜第３実施例のように、媒体越しに見ることにより濃度むらが目立ちにくくなる裏印刷モードにて印刷される画像を構成する１本のラスターラインをノズルの１回の移動にて形成すると、より速く画像を印刷することが可能である。
【０１２７】
また、第２実施例のように、直接見るための画像が印刷される表印刷モードにて印刷された画像のラスターラインが、透明フィルム越しに見るための画像が印刷される裏印刷モードにて印刷された画像のラスターラインより、搬送方向における間隔が狭くなるように印刷すると、濃度むらがより目立ちにくい画像を印刷することが可能である。
【０１２８】
また、第３実施例のように、表印刷モードにて印刷される画像が、ラスターラインを形成すべくインクを吐出する際にノズルを同一の方向に移動させると、裏印刷モードのようにノズルの往復動作のいずれもインクを吐出させる場合より、ドットが形成される位置の精度が高くなるので、より良好な画像を印刷することが可能である。
【０１２９】
一方、裏印刷モードにて印刷される画像は、ラスターラインを形成すべくインクを吐出する際のノズルの移動方向が交互になるので、印刷された画像を透明フィルム越しに見る場合には、濃度むらが目立ちにくい画像をより速く印刷することが可能である。
【０１３０】
また、第１実施例の変形例のように、表印刷モードのドット形成動作にて、交差方向にドットが配置されるラスターラインを形成するためにインクを吐出するノズルの数を、裏印刷モードのドット形成動作より多くすることにより、表印刷モードの方が、濃度むらが目立ちにくい画像を形成することが可能である。また、裏印刷モードの画像は直接見た場合には濃度むらが目立ちやすいが、透明フィルムに印刷された画像は透明フィルム越しに見るための画像、または鏡像なので、透明フィルム越しに画像を見た場合には、濃度むらは目立ちにくい。このため、透明フィルム越しに見るための画像、または鏡像を印刷する場合には、1本のラスターラインを形成するノズルの数を少なくして画像をより速く印刷することが可能である。
【０１３１】
特に、第１実施例のように、媒体越しに見ることにより濃度むらが目立ちにくくなる裏印刷モードにて印刷される画像を構成する１本のラスターラインを単一のノズルにて形成すると、より速く画像を印刷することが可能である。
【０１３２】
また、裏印刷モードでは、画像を印刷した後に、当該画像の背景となる背景画像を印刷するので、透明フィルムに印刷された画像であっても、透明フィルム越しに画像を見た際には、背景画像上に画像が印刷されて、印刷領域中に、透明フィルムの向こう側に存在する物が見えるような透明な部分は存在しない。このため、より鮮明に見える画像を印刷することが可能である。
【０１３３】
また、表印刷モードでは、画像を印刷する前に、当該画像の背景となる背景画像を印刷するので、透明フィルムに印刷された画像であっても、印刷された画像を直接見た際に背景画像上に画像が印刷されて、印刷領域中に、透明フィルムの向こう側に存在する物が見えるような透明な部分は存在しない。このため、より鮮明に見える画像を印刷することが可能である。
【０１３４】
また、背景画像は白色のインクを印刷領域の全域に吐出させることにより印刷したので、透明フィルムに印刷した画像であっても、白紙上に印刷した画像と同様の画像を印刷することが可能である。
【０１３５】
また、第４実施例のように、ユーザーインターフェース画面を操作することにより、ユーザー自身が表印刷モードまたは裏印刷モードを選択し、その選択により、ドットの形成動作や媒体の搬送動作を組み合わせた所定の印刷方式が規定される構成としてもよい。
【０１３６】
また、上述のようにして規定された各種印刷方式を、ユーザー自身が変更することも可能である。
【０１３７】
また、第５実施例のように、ユーザーインターフェース画面を操作することにより、ユーザー自身が表印刷モードまたは裏印刷モードを選択し、さらにそれぞれの場合について印刷方式を選択することで、各印刷モードについて異なるドットの形成動作や媒体の搬送動作をさせることができる。これにより、良好な画像を印刷するか、または、より速く印刷するかといった選択を、ユーザー自身で自由に決定することが可能である。
【０１３８】
＝＝＝その他の実施の形態＝＝＝
一実施形態としてのプリンター等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１３９】
＜印刷システムについて＞
前述の実施形態では、プリンター1と、当該プリンター１と通信可能に接続されたコンピューターとを有する印刷システム１００を例に挙げて説明したが、これに限るものではない。例えば、プリンターがメモリー等とのインターフェースと入力操作部を有し、入力操作部からの操作によりメモリー等の画像データを指定して、印刷することが可能なプリンターのみにて実行されても構わない。
【０１４０】
＜ノズルについて＞
前述の実施形態では、圧電素子（ピエゾ素子）を用いてインクを吐出していた。しかし、液体を吐出する方式は、これに限られるものではない。例えば、熱によりノズル内に泡を発生させる方式など、他の方式を用いてもよい。
【０１４１】
＜インクについて＞
前述の実施形態は、紫外線(ＵＶ)の照射を受けることによって硬化するインク（ＵＶインク）をノズルから吐出していた。しかし、ノズルから吐出する液体は、このようなインクに限られるものではなく、ＵＶ以外の他の電磁波（例えば可視光線など）の照射を受けることによって硬化する液体をノズルから吐出しても良い。この場合、仮硬化用照射部４１ａ、４１ｂ及び本硬化用照射部４３から、その液体を硬化させるための電磁波（可視光線など）を照射するようにすればよい。  
また、前述のようなＵＶなどの照射によって硬化するインクではなく、媒体に着弾・浸透することにより定着する所謂水性インクを使用することもできる。例えば、媒体としての普通紙に正像を印刷するような場合には、一般的に家庭で使用される染料インクや顔料インク等を用いて印刷を行うことが可能である。
【符号の説明】
【０１４２】
１  プリンター、１０  搬送ユニット、１１  給紙ローラー、
１３  搬送ローラー、１４  プラテン、１５  排紙ローラー、
２０  キャリッジユニット、２１  キャリッジ、２４  ガイド軸、
３０  ヘッドユニット、３１  ヘッド、
４０  照射ユニット、４１ａ,４１ｂ  仮硬化用照射部、４３  本硬化用照射部、
５０  検出器群、５３  紙検出センサー、５４  光学センサー
６０  コントローラー、６１  インターフェース部、６２  ＣＰＵ、
６３  メモリー、６４  ユニット制御回路、
８０  コンピューター、１００  印刷システム
【図１】
2010247519.tif 000003
【図２】
2010247519.tif 000004
【図３】
2010247519.tif 000005
【図４】
2010247519.tif 000006
【図１１】
2010247519.tif 000007
【図１６】
2010247519.tif 000008
【図１８】
2010247519.tif 000009
【図２１】
2010247519.tif 000010
【図５】
2010247519.tif 000011
【図６】
2010247519.tif 000012
【図７】
2010247519.tif 000013
【図８】
2010247519.tif 000014
【図９】
2010247519.tif 000015
【図１０】
2010247519.tif 000016
【図１２】
2010247519.tif 000017
【図１３】
2010247519.tif 000018
【図１４】
2010247519.tif 000019
【図１５】
2010247519.tif 000020
【図１７】
2010247519.tif 000021
【図１９】
2010247519.tif 000022
【図２０】
2010247519.tif 000023